(57)【要約】【課題】眼鏡装着感を維持しつつ眼鏡装着者が感じる眼鏡装着負荷を軽減することにより目に優しい眼鏡フレームを提供すること。【解決手段】眼鏡フレームＦであって、眼鏡フレーム装着者Ｈの視野内であると共に当該装着者Ｈから視認可能な位置に、遠赤外線放射物質を含む遠赤体７１ａ，７１ｂ，７２ａ，７２ｂ，７３ａ，７３ｂが配置されていることを特徴とするものである。この眼鏡フレームＦによれば、遠赤体７１ａ，７１ｂ，７２ａ，７２ｂ，から放射される遠赤外線を、常時、眼球Ｍ1,Ｍ2に向けて放射することができ、眼球Ｍ1,Ｍ2に吸収させることができる。【選択図】図１
2012042838.tif 000002
【特許請求の範囲】
【請求項１】
眼鏡フレームであって、当該眼鏡フレームを装着した装着者の視野内に入るフレーム上の位置に、遠赤外線放射物質を含む遠赤体が配置されていることを特徴とする眼鏡フレーム。
【請求項２】
前記遠赤体は、前記装着者又は当該装着者を外側から観察する観察者から視認可能な位置に配置されている請求項１に記載の眼鏡フレーム。
【請求項３】
前記遠赤体のうち中央前部遠赤体は、前記装着者の顔面を正面視したときに当該装着者の左眼球先端位置から右眼球先端位置までの左右方向の幅の範囲内に入る位置であり、且つ前記装着者又は当該装着者を外側から観察する観察者から視認可能な位置に配置されている請求項１又は請求項２に記載の眼鏡フレーム。
【請求項４】
当該眼鏡フレームは、フロントと当該フロントの左右の枠に取り付けられた左右のパッドとを少なくとも備えているものであり、前記中央前部遠赤体は、前記パッドの裏面に配置されたものである請求項３に記載の眼鏡フレーム。
【請求項５】
前記遠赤体のうち左外側前部遠赤体は、前記装着者の視野内であると共に当該装着者の左眼球先端位置よりも顔面左外側であるフレーム左外側前部位置に配置されており、
前記遠赤体のうち右外側前部遠赤体は、前記装着者の視野内であると共に当該装着者の右眼球先端位置よりも顔面右外側であるフレーム右外側前部位置に配置されている請求項１から請求項４のいずれか一項に記載の眼鏡フレーム。
【請求項６】
前記左外側前部遠赤体及び右外側前部遠赤体の位置は、眼鏡フレーム装着状態で、前記装着者の眼球先端位置の前方側である請求項５に記載の眼鏡フレーム。
【請求項７】
前記左外側前部遠赤体及び右外側前部遠赤体は、前記フロントに配置されている請求項６に記載の眼鏡フレーム。
【請求項８】
眼鏡フレームは、前記フロント及び前記パッドの他に、さらに左右の智及び左右のテンプルを少なくとも備えているものであり、前記左右の外側前部遠赤体は、前記フロント又は智に配置されている請求項６に記載の眼鏡フレーム。
【請求項９】
眼鏡フレームは、左右の枠を備えるフロントを少なくとも備えているものであり、
前記左右の枠は、いずれも環形状であり、
当該左右の枠には、枠内空間を取り囲むように、前記左右の外側前部遠赤体及び前記中央前部遠赤体が配置されている請求項５から請求項８のいずれか一項に記載の眼鏡フレーム。
【請求項１０】
眼鏡フレームは、前記フロント及び前記パッドの他に、さらに左右の智及び左右のテンプルを少なくとも備えているものであり、
前記遠赤体のうち左外側後部遠赤体は、前記左テンプルの後部に配置されており、前記遠赤体のうち右外側後部遠赤体は、前記右テンプルの後部に配置されており、
前記装着者の頭部を平面視したときに、前記左右の外側前部遠赤体及び前記左右の外側後部遠赤体で囲まれた範囲内に前記装着者の両眼球が位置する状態になる請求項５から請求項９のいずれか一項に記載の眼鏡フレーム。
【請求項１１】
前記遠赤外線放射物質は、ケイ酸塩鉱物または炭酸塩鉱物の石片又は粉末である請求項１から請求項１０のいずれか一項に記載の眼鏡フレーム。
【請求項１２】
前記遠赤外線放射物質は、単斜晶系の鉱物と三斜晶系の鉱物とが混在しているカリ長石又は当該カリ長石を含有する岩石を含むものである請求項１１に記載の眼鏡フレーム。
【請求項１３】
前記遠赤外線放射物質として、前記カリ長石又は当該カリ長石を含有する岩石と、炭酸塩鉱物とが用いられている請求項１１又は請求項１２に記載の眼鏡フレーム。
【発明の詳細な説明】
【技術分野】
【０００１】
本発明は、眼鏡フレームに関するものであり、特に、眼鏡装着者の眼に優しい眼鏡フレームに関するものである。
【背景技術】
【０００２】
従来の眼鏡として、例えば、健康眼鏡と称されているものがある（特許文献１参照）。この眼鏡は、眼鏡構成体内側に、気の発生体５と称される凸部を備えている。この気の発生体５は、人体のツボを押すことができるように、眼鏡構成体内側に設置されており、しかも突出量が比較的大きくなっていると共に先端面積が比較的小さくなっている。上記健康眼鏡は、このような気の発生体５でツボを押す作用等によって、眼の疲れ、鼻疾患、めまい等を治療並びに予防しようとするものである（特許文献１の段落〔０００８〕、図１参照）。
【先行技術文献】
【特許文献】
【０００３】
【特許文献１】特開平１１−３３７８７９号公報
【発明の概要】
【発明が解決しようとする課題】
【０００４】
ところで、上記健康眼鏡を装着した者は、気の発生体５によって、常に頭部のツボを押される。体調や使用状況等によっては、ツボを押されていない状態で眼鏡を使用したい場合もあるが、ツボを押されないようにするには、健康眼鏡を外す必要がある。
【０００５】
本発明は、このような問題点に鑑みてなされたものであり、眼鏡装着者の眼鏡装着負荷を増大させることなく目に優しい眼鏡フレームを提供することを目的としてなされたものである。
【課題を解決するための手段】
【０００６】
本発明は、眼鏡フレームであって、当該眼鏡フレームを装着した装着者の視野内に入るフレーム上の位置に、遠赤外線放射物質を含む遠赤体が配置されていることを特徴とする眼鏡フレームである。
そして、前記遠赤体は、前記装着者又は当該装着者を外側から観察する観察者から視認可能な位置に配置されている。
また、前記遠赤体のうち中央前部遠赤体は、前記装着者の顔面を正面視したときに当該装着者の左眼球先端位置から右眼球先端位置までの左右方向の幅の範囲内に入る位置であり、且つ前記装着者又は当該装着者を外側から観察する観察者から視認可能な位置に配置されている。
さらに、本発明の眼鏡フレームは、フロントと当該フロントの左右の枠に取り付けられた左右のパッドとを少なくとも備えているものであり、前記中央前部遠赤体は、前記パッドの裏面に配置されたものである。
また、前記遠赤体のうち左外側前部遠赤体は、前記装着者の視野内であると共に当該装着者の左眼球先端位置よりも顔面左外側であるフレーム左外側前部位置に配置されており、前記遠赤体のうち右外側前部遠赤体は、前記装着者の視野内であると共に当該装着者の右眼球先端位置よりも顔面右外側であるフレーム右外側前部位置に配置されている。
また、前記左外側前部遠赤体及び右外側前部遠赤体の位置は、眼鏡フレーム装着状態で、前記装着者の眼球先端位置の前方側である。
また、前記左外側前部遠赤体及び右外側前部遠赤体は、前記フロントに配置されている。
さらに、本発明の眼鏡フレームは、前記フロント及び前記パッドの他に、さらに左右の智及び左右のテンプルを少なくとも備えているものであり、前記左右の外側前部遠赤体は、前記フロント又は智に配置されている。
さらに、本発明の眼鏡フレームは、左右の枠を備えるフロントを少なくとも備えているものであり、前記左右の枠は、いずれも環形状であり、当該左右の枠には、枠内空間を取り囲むように、前記左右の外側前部遠赤体及び前記中央前部遠赤体が配置されている。
さらに、本発明の眼鏡フレームは、前記フロント及び前記パッドの他に、さらに左右の智及び左右のテンプルを少なくとも備えているものであり、前記遠赤体のうち左外側後部遠赤体は、前記左テンプルの後部に配置されており、前記遠赤体のうち右外側後部遠赤体は、前記右テンプルの後部に配置されており、前記装着者の頭部を平面視したときに、前記左右の外側前部遠赤体及び前記左右の外側後部遠赤体で囲まれた範囲内に前記装着者の両眼球が位置する状態になっている。
また、前記遠赤外線放射物質は、ケイ酸塩鉱物または炭酸塩鉱物の石片又は粉末である。
また、前記遠赤外線放射物質は、単斜晶系の鉱物と三斜晶系の鉱物とが混在しているカリ長石又は当該カリ長石を含有する岩石を含むものである。
また、前記遠赤外線放射物質として、前記カリ長石又は当該カリ長石を含有する岩石と、炭酸塩鉱物とが用いられている。
【発明の効果】
【０００７】
本発明に係る眼鏡フレームでは、眼鏡フレーム装着者の視野に入るフレーム上の位置に、遠赤外線放射物質を含む遠赤体が配置されているので、少なくとも眼球の前方空間に向けて遠赤外線が放射される。つまり、眼球の前方空間に、遠赤外線放射物質からの遠赤外線の放射領域が形成される。これにより、顔面前方を浮遊する浮遊物に向けて、常時、遠赤外線を放射し、吸収させることができ、浮遊物表面の温度上昇作用を生じさせることができる。従って、このような浮遊物が人体、特に眼や眼の周辺に接触したとき、温度差等に起因する違和感が軽減される。
そして、遠赤体の配置が装着者から視認可能な位置であれば、遠赤体から放射される遠赤外線を、常時、眼球に向けて放射することができ、眼球に吸収させることができる。外界に露出している眼球は、気温低下などの外界の環境変化の影響を受けやすいものであるところ、暖かさを感じさせる効果を有する遠赤外線を眼球に向けて常時放射することができれば、気温低下などの外界の環境変化が生じた際、当該変化が眼に及ぼす影響を軽減させることができ、眼に優しい環境の確保に寄与することができる。
このように、本発明に係る眼鏡フレームは、眼鏡フレーム装着者の視野に入るフレーム上の位置に遠赤外線放射物質が配置されているものであるので、眼鏡装着者の眼鏡装着負荷が増大することがなく、しかも目に優しいものである。
【図面の簡単な説明】
【０００８】
【図１】本発明に係る眼鏡フレームの第１実施例を示す平面図である。
【図２】図１の眼鏡フレームを示す正面図である。
【図３】図１の眼鏡フレームを示す側面図である。
【図４】（Ａ）、（Ｂ）カリ長石の遠赤外線の放射強度の分析値を示すグラフ図である。
【符号の説明】
【０００９】
10…フロント、
11…左枠、11a…上枠部、11b…下枠部、11c…内枠部、11d…外枠部、
11i,11s…垂直面、11t…中間位置、11m…中心位置、
12…右枠、12a…上枠部、12b…下枠部、12c…内枠部、12d…外枠部、
12i,12s…垂直面、12t…中間位置、12m…中心位置、
21,22…パッド、30…ブリッジ、41,42…智、51,52…テンプル、
61,62…モダン、
71a,71b…中央前部遠赤体、72a,72b…外側前部遠赤体、
73a,73b…外側後部遠赤体、
Ｅ1…左耳、Ｅ1t…左耳のテンプルとの接触位置、
Ｅ2…右耳、Ｅ2t…右耳のテンプルとの接触位置、
Ｆ…眼鏡フレーム、G1,G2,G3…グラフ、Ｈ…眼鏡フレーム装着者、
Ｍ1…左眼球、
Ｍ1b…眼球後端位置、Ｍ1k…角膜、Ｍ1t…眼球先端位置、Ｍ1z…眼尻位置、
Ｍ2…右眼球、
Ｍ2b…眼球後端位置、Ｍ2k…角膜、Ｍ2t…眼球先端位置、Ｍ2z…眼尻位置、
Ｎb…鼻背部、Ｎe…鼻尖部、Ｓc,Ｓh,Ｓm…領域、
Ｗh…水平方向（左右方向）の視野角、Ｗv…垂直方向（上下方向）の視野角、
【発明を実施するための形態】
【００１０】
本発明に係る眼鏡フレームでは、眼鏡フレーム装着者の視野内の位置に、遠赤外線放射物質を含む遠赤体が配置されており、眼球の前方空間に向けて遠赤外線が放射される。これにより、顔面前方を浮遊する浮遊物に向けて、常時、遠赤外線を放射し、吸収させることができ、浮遊物表面の温度上昇作用を生じさせることができる。従って、このような浮遊物が人体、特に眼や眼の周辺に接触したとき、温度差等に起因する違和感が軽減される。
遠赤体の好ましい配置として、装着者から観察する観察者から視認可能な位置を挙げることができる。このような配置にすると、遠赤体から放射される遠赤外線を、常時、眼球に向けて放射することができ、眼球に吸収させることができる。外界に露出している眼球は、気温低下などの外界の環境変化の影響を受けやすいものであるところ、暖かさを感じさせる効果を有する遠赤外線を眼球に向けて常時放射することができれば、気温低下などの外界の環境変化が生じた際、当該変化が眼に及ぼす影響を軽減させることができ、眼に優しい環境の確保に寄与することができる。
【実施例１】
【００１１】
次に、本発明に係る眼鏡フレームの実施例を説明する。
図１及び図２に示されるように、本発明に係る眼鏡フレームＦは、フロント10、左右の智41,42及び左右のテンプル51,52を備えている。
なお、以下の説明において、眼鏡フレームＦの構成等の説明に用いている上下方向、左右方向、前後方向、内外方向は、眼鏡フレーム装着者Ｈ（以下、単に装着者Ｈ）を基準として定めた方向である。例えば、図１及び図２では、図面における左右方向と装着者Ｈの左右方向が逆向きになっている。本実施例の説明では、基本てきには、装着者Ｈの認識を基準に定めた左右方向を使って左右を説明する。
【００１２】
フロント10は、装着者Ｈが眼鏡フレームＦを装着した状態で、装着者Ｈの顔面の前方側に位置するものであり、左右の枠11,12と、左右の枠11,12に取り付けられたパッド21,22と、左右の枠11,12部を一体に連結するためのブリッジ30とを備えている。
左右の枠11,12は、レンズ等（不図示）が取り付けられる位置であり、本実施例では角が丸みを帯びた四角形の環構造になっている（図２参照）。したがって、左右の枠11,12は、それぞれ、上枠部11a,12aと、下枠部11b,12bと、内枠部11c,12cと、外枠部11d,12dとで構成されているということもできる。
パッド21,22は、左枠11に取り付けられた左パッド21と、右枠12に取り付けられた右パッド22で構成されており、眼鏡フレーム装着者Ｈの鼻背部Ｎb又は鼻尖部Ｎeに接触するものである。
ブリッジ30は、左右の枠11,12の間に位置するものであり、左右の枠11,12を一体に連結するためのものである。
【００１３】
智41,42は、フロント10の左右両端部に設けられており、フロント10と左テンプル51とを連結するための左智41と、フロント10と右テンプル52とを連結するための右智42とで構成されている。
【００１４】
テンプル51,52は、眼鏡フレーム装着者Ｈの側頭部に位置し、装着者Ｈの耳Ｅ1,Ｅ2に引っ掛けられる部分であり、左テンプル51と右テンプル52とで構成されている。左右のテンプル51,52は、その前端部において、智41,42に蝶番を介して回動可能に連結されており、フロント10に重ねるように折り畳まれた眼鏡収納時位置（不図示）と、眼鏡使用時位置（図１参照）との間で回動可能になっている。
また、左右のテンプル51,52のうち装着者Ｈの耳Ｅ1,Ｅ2に引っ掛かるテンプル後端部にはモダン61,62が装着されている。
【００１５】
上記構成の眼鏡フレームＦは、遠赤外線放射物質を含む遠赤体を備えている。
具体的には、眼鏡フレームＦは、中央前部遠赤体71a,71bと、左右の外側前部遠赤体72a,72bと、左右の外側後部遠赤体73a,73bとを備えている（図１参照）。
なお、本実施例では、カリ長石を含有する接触変成岩(ホルンフェルス)を適宜の大きさに加工したものを遠赤体として用いている。つまり、本実施例の眼鏡フレームＦで用いている遠赤外線放射物質はカリ長石を含む石片である。
【００１６】
まず、中央前部遠赤体71a,71bについて説明する（図１参照）。
本実施例では、フロント10の中央部（以下、フロント中央部と称することがある）に設置された中央前部遠赤体として、左中央前部遠赤体71aと、右中央前部遠赤体71bとを備えている。より具体的に説明すると、左中央前部遠赤体71aは、左パッド21の裏面（鼻と接触するパッド表面とは反対側の面）に配置されており、右中央前部遠赤体71bは、右パッド22の裏面に配置されている。したがって、両遠赤体71a,71bは、いずれも装着者Ｈの視野内に位置している。
フロント10の中央部とは、左枠11の水平方向についての中間位置11t（図１参照）と、右枠12の水平方向についての中間位置12t（図１参照）の間の領域Scに入っている部分のことである。
左枠11の中間位置11tとは、未装着状態の眼鏡フレームＦについて説明すれば、左枠11と左智41との結合位置を通る前後方向に延在する垂直面11sと、左枠11とブリッジ30との結合位置を通る前後方向に延在する垂直面11iとの中間を通る前後方向に延在する垂直面の位置のことである。また、眼鏡フレームＦが装着された状態に基づけば、眼鏡フレーム装着者Ｈの左眼球Ｍ1の先端位置Ｍ1tを通る垂直面であって前後方向に延在する面（左眼球先端位置Ｍ1tから前方に延ばした視線と重なる垂直面）11mの位置のことを、左枠11の中間位置ということができる。なお、左枠11と右枠12とは左右対称配置であるので、ここでは右枠12の中心位置12mや中間位置12tに関する説明を省略する。
上記説明から解るように、フロント中央部（図１の領域Sc参照）には、左右のパッド21,22と、ブリッジ30と、左右の枠11,12の内側半分とが含まれる。そして、左右の枠11,12の内側半分とは、上枠部11a,12aの内側半分と、下枠部11b,12bの内側半分と、内枠部11c,12cのことである。
【００１７】
ところで、人間の眼球Ｍ1,Ｍ2は、外界に露出しており、気温低下などの外界の環境変化の影響を受けやすいが、眼鏡フレームＦのフロント中央部（図１の領域Sc参照）に中央部遠赤体71a,71bが配置された眼鏡フレームＦであれば、中央部遠赤体71a,71bからの遠赤外線を、常時、眼球Ｍ1,Ｍ2の表面に直接放射することができ、吸収させることができる。遠赤外線は、暖かさを感じさせる効果を有するものであるので、気温低下などの外界の環境変化が生じた際、当該変化が眼に及ぼす影響を軽減させることができ、しかも暖かさを感じさせるものであることから、眼に優しい環境の確保にも寄与する。
また、フレーム中央部（図１の領域Sc参照）に、左右の中央部遠赤体71a,71b（図２参照）が配置された眼鏡フレームＦであれば、常時、眼球Ｍ1,Ｍ2の前方空間に向けて遠赤外線が放射されるので、顔面特に眼に近づく花粉等の浮遊物の表面に向けて、常時、遠赤外線を放射することができ、吸収させることができる。これにより、例えば寒冷期など、外気温が体温や遠赤外線放射物質の温度よりも低いとき、顔面前方を浮遊する浮遊物（例えば花粉などの有機物の浮遊物）に向けて放射された遠赤外線によって、常時、浮遊物表面の温度上昇作用を生じさせることができる。このような作用が得られれば、眼の前方を浮遊する浮遊物が眼や眼の周辺に接触したとき、温度差などに起因する違和感が軽減される。
【００１８】
次に、外側前部遠赤体72a,72bについて説明する（図１参照）。
外側前部遠赤体72a,72bのうち、左外側前部遠赤体72aは左智41に配置されており、右外側前部遠赤体72bは右智42に配置されている。
左智41は、装着者Ｈの視野内の位置であると共に左枠11の中間位置11tよりも左外側の領域Ｓhに入る位置（フレーム左外側前部位置）に位置している。このフレーム左外側前部位置には、左テンプル51のうちの前端側の一部と、左智21と、左枠11の外側半分とが含まれる。左枠11の外側半分とは、上枠部11aの外側半分と、下枠部11bの外側半分と、外枠部11dのことである。
なお、眼鏡フレーム装着者Ｈの視野角については、個人差があるが、ここでは、水平方向（左右方向）の視野角Ｗh（図１参照）を２００度とし、垂直方向（上下方向）の視野角Ｗv（図３参照）を１２５度（下７５度、上５０度）とする。したがって、装着者Ｈの視野内とはこれらの視野角の範囲内のことである。眼鏡フレーム装着者Ｈは、障害物がなければ、当該視野内に位置しているものを視認することができる。
なお、右智22が位置するフレーム右外側前部位置とは、装着者Ｈの視野内の位置であると共に右枠12の中間位置12tよりも右外側の領域Ｓm（図１参照）に入る位置のことであるが、フレーム右外側前部位置と、上記フレーム左外側前部位置は左右対称の配置であるので、ここでは、フレーム右外側前部位置についての詳細な説明を省略する。
【００１９】
上述したように、眼球Ｍ1,Ｍ2、特に左右の眼球Ｍ1,Ｍ2の表面は外界の環境変化の影響を受けやすいものであるが、眼球表面のうちでも、頭部横方向から視認可能な眼球外側露出表面は、特に、気温低下などの外界の環境変化の影響を受けやすい。
この点、本発明の眼鏡フレームＦであれば、フレーム左外側前部位置（図１の領域Ｓh参照）及び右外側前部位置（図１の領域Ｓm参照）に、左右の外側前部遠赤体72a,72bが配置されているので、左右の眼球Ｍ1,Ｍ2の外側露出表面に向けて、常時、遠赤外線を直接放射することができ、吸収させることができる。これにより、気温低下など外界の環境変化が生じた際、当該変化が眼に及ぼす影響が軽減され、眼に優しい環境が確保される。
また、眼球Ｍ1,Ｍ2の前方空間に向けて遠赤外線が放射されるので、顔面前方を浮遊する浮遊物に向けて、常時、遠赤外線を放射し、吸収させることができ、浮遊物表面の温度上昇作用を生じさせることができる。従って、その後、当該浮遊物が人体、特に眼や眼の周辺に接触したとき、温度差等に起因する違和感が軽減される。
なお、眼球Ｍ1,Ｍ2の露出表面とは、ここでは、眼球全表面のうち、瞼を開いているときに外界から視認される眼球表面のことである。
【００２０】
なお、左右の外側前部遠赤体72a,72bの配置としては、眼鏡フレーム装着者Ｈの左右の眼球Ｍ1,Ｍ2の眼球先端位置Ｍ1t,Ｍ2tよりも前方側になる位置が好ましい。この配置であれば、眼球先端位置Ｍ1t,Ｍ2t及びその周辺に向けて、より確実に遠赤外線を放射することができ、左右の中央部遠赤体71a,71bからの放射と相まって、眼球Ｍ1,Ｍ2の全露出表面に、より確実に遠赤外線を放射することができる。さらに、左右の外側前部遠赤体72a,72bの配置としては、角膜Ｍ1k,Ｍ2k（すなわち左眼の角膜Ｍ1kの左外側端位置及び右眼の角膜Ｍ2kの右外側端位置）よりも左右外側の位置が好ましく、眼尻位置Ｍ1z,Ｍ2zよりも左右外側の位置がより好ましい（図２参照）。この配置であれば、外界の環境変化の影響を受けやすい眼球Ｍ1,Ｍ2の外側露出表面に向けて、より確実に遠赤外線を放射することができる。
また、より広い遠赤外線照射範囲を確保する観点からすれば、左右の外側前部遠赤体72a,72bをはじめとする各遠赤体の配置は、眼鏡フレーム装着者Ｈに接触しない位置（つまり、装着者の顔面や頭部の皮膚表面に接触しない位置）が好ましい。
【００２１】
次に、外側後部遠赤体73a,73bについて説明する（図１参照）。
左右の外側後部遠赤体73a,73bのうち、左外側後部遠赤体73aは、左テンプル後部に配置されている。左テンプル後部とは、左テンプル51のうち、眼鏡フレーム装着時、装着者Ｈの眼球後端位置Ｍ1b,Ｍ2b（図１参照）よりも後方側に位置する部分のことである。この部分に左外側後部遠赤体73aを配置にすると、眼鏡フレーム装着者Ｈの頭部を平面視したときに、左右の外側前部遠赤体72a,72b及び左右の外側後部遠赤体73a,73bで囲まれた範囲（図１に示される眼鏡フレームＦで囲まれた範囲にほぼ一致する範囲）の内側に、装着者の両眼球Ｍ1,Ｍ2が位置する状態になる。
なお、装着者Ｈの眼球Ｍ1,Ｍ2を、より確実に上記範囲に入るようにするためには、左右の外側後部遠赤体73a,73bを装着者Ｈの耳Ｅ1,Ｅ2とテンプル51,52との接触位置Ｅ1t,Ｅ2t（図１参照）より後方側に位置させると、眼球Ｍ1,Ｍ2の後方に位置する視神経をより確実に上記範囲内に入れることができ、この点で好ましい。
【００２２】
遠赤外線は、例えば近赤外線と比較して、体内のより深い位置まで到達するものであるところ、外側後部遠赤体73a,73bを上述の位置に配置すれば、常時、外側後部遠赤体73a,73bからの遠赤外線を眼球Ｍ1,Ｍ2や眼球後方に位置する視神経及びこれを取り巻く部分に向けて放射することができ、吸収させることができる。これにより、気温低下など外界の環境変化が生じた際、当該変化が眼や視神経に及ぼす影響が軽減され、眼に優しい環境が確保される。
【００２３】
本発明に係る眼鏡フレームには、上記実施例のものの他、本発明の効果を奏する範囲で種々改変されたものが含まれる。
【００２４】
例えば、本発明に係る眼鏡フレームとしては、フロント10の左右の枠11,12に左右の鼻パッド21,22が取り付けられただけの構成のものでもよい。
【００２５】
また、中央前部遠赤体71a,71bの配置場所は、パッド21,22の裏面に限られず、フロント中央部（図１の領域Sc参照）であればよい。従って、例えば、遠赤外線放射物質である鉱石そのものをパッド形状に加工して製造したパッド21,22を用いてもよい。
【００２６】
各種の遠赤体71a,71b,72a,72b,73a,73bの好適な配置について説明すれば、これらの遠赤体の配置は、眼球Ｍ1,Ｍ2の表面又は眼球前方空間のうちの少なくともいずれか一方に向けて遠赤外線を放射することができる配置が好ましく、眼球Ｍ1,Ｍ2の表面及び眼球前方空間の両方に向けて遠赤外線を放射することができる配置がより好ましいということができる。
【００２７】
また、左右の中央前部遠赤体71a,71bと左右の外側前部遠赤体72a,72bの好適な配置（相互の位置関係）としては、眼鏡フレーム装着者Ｈの顔面を正面視したとき、左中央前部遠赤体71a及び左外側前部遠赤体72aが、水平方向に関して、左眼球先端位置Ｍ1tを挟む位置関係に位置し、右中央前部遠赤体71b及び右外側前部遠赤体72bが、水平方向に関して、右眼球先端位置Ｍ2tを挟む位置関係に位置する状態になる配置が好ましい。さらに言えば、これらの遠赤体71a,71b,72a,72bの配置としては、両遠赤体71a,72aが左眼球Ｍ1の角膜Ｍ1kを挟む位置関係に位置すると共に両遠赤体71b,72bが右眼球Ｍ2の角膜Ｍ2kを挟む位置関係に位置する状態になる配置がより好ましい。このような配置にすると、これらの遠赤体71a,71b,72a,72bによって、眼球Ｍ1,Ｍ2の全露出表面に、より均等に遠赤外線を放射することができ、眼球前方の空間に、より均等に遠赤外線を放射することができる。
【００２８】
また、左右の外側前部遠赤体72a,72bの配置は、上記実施例における配置に限られず、左外側前部遠赤体72aの数も１つでも複数でもよく、同様に、右外側前部遠赤体72bも１つでも複数でもよい。
ここでは、左外側前部遠赤体が２つの場合（第１分割体と第２分割体がある場合）について一例を説明する。例えば、フロント10の左枠11の上枠部11aに左外側前部遠赤体第１分割体（不図示）を配置し、下枠部11bに左外側前部遠赤体第２分割体（不図示）を配置することが考えられる。この配置は、眼鏡フレーム装着者Ｈの顔面を正面視したとき、両分割体によって、左眼Ｍ1の先端位置Ｍ1t、角膜Ｍ1k及び左眼球Ｍ1の全露出表面（図２参照）が挟まれる配置である。これは右外側前部遠赤体についても同様である。このような配置にすると、より確実に、眼球Ｍ1,Ｍ2の全露出表面に遠赤外線を直接放射することができる。なお、右外側前部遠赤体72bの分割体の配置は、左外側全部遠赤体72aの分割体の配置と左右対称の配置であるので、ここでは、当該配置に関する説明を省略する。
【００２９】
また、遠赤外線放射物質は、粉末などの粒状であってもよい。
本発明に係る眼鏡フレームにおいて、粉末や粒状の遠赤外線放射物質を用いる方法としては、例えば、メガネフレームの一部又は全部を構成する合成樹脂材料などの材料中に遠赤外線放射物質の粒や粉末を混合させた材料（以下、遠赤外線放射材料）を調製し、当該材料で眼鏡フレームの所定部位又は全体を構成した眼鏡フレームを製造するという方法を挙げることができる。例えばブリッジが当該遠赤外線放射材料で構成されている眼鏡フレームでは、ブリッジそのものが中央前部遠赤体として機能する。また、左右の智が遠赤外線放射材料で構成されている眼鏡フレームでは、左右の智そのものが左右の外側前部遠赤体として機能する。
また、本発明に係る眼鏡フレームにおいて、粉末や粒状の遠赤外線放射物質を用いる別の方法としては、例えば、遠赤外線放射物質の粉末や粉が混合された塗布剤（遠赤外線放射塗布剤）を調製し、眼鏡フレームの所定部位又は全体の表面に当該塗布剤が塗布された眼鏡フレームを製造するという方法を挙げることができる。例えば、ブリッジ表面に上記塗布剤が塗布された眼鏡フレームでは、ブリッジそのものが中央前部遠赤体として機能し、左右の智の表面に上記塗布剤が塗布された眼鏡フレームでは、左右の智そのものが左右の外側前部遠赤体として機能する。
【００３０】
なお、遠赤外線放射材料で構成しても良い部材及び部位は、上記部材や部位に限られず、眼鏡フレームを構成する任意の部材及び部位の一部又は全部を当該遠赤外線放射材料で構成してよい。同様に、遠赤外線放射塗布剤を塗布してもよい部材及び部位は、上記部材や部位に限られず、眼鏡フレームを構成する任意の部材及び部位の表面の一部又は全部に遠赤外線放射塗布剤を塗布してよい。
【００３１】
遠赤外線放射材料を用いて製造された眼鏡フレームや、遠赤外線放射塗布剤が塗布された眼鏡フレームの実施例としては、例えば、フロントの左右の枠が遠赤外線放射材料で構成されたものや、左右の枠の表面に遠赤外線放射塗布剤が塗布されたものなどを挙げることができる。これらの眼鏡フレームでは、左右の枠そのものが遠赤体として機能する。従って、これらの眼鏡フレームでは、眼鏡フレーム装着者の顔面を正面視したとき、遠赤外線物質を含有する遠赤体で囲まれた範囲内（フロントの左右の枠内）に、装着者の左右の眼球Ｍ1,Ｍ2（図１参照）の眼球表面先端位置Ｍ1t,Ｍ2t、角膜Ｍ1k,Ｍ2k、さらには眼球Ｍ1,Ｍ2の全露出表面が位置し、あるいは位置させることができる。なお、眼鏡フレーム装着者の眼球Ｍ1,Ｍ2等を遠赤外線放射物質で取り囲む形態としては、例えば、連続的（環状）に配置された遠赤外線放射物質で取り囲む場合と、断続的に配置された遠赤外線放射物質で取り囲む場合を挙げることができる。
したがって、このような眼鏡フレームによれば、左右の眼球Ｍ1,Ｍ2の全露出表面に向けて遠赤外線を直接かつより均等に放射することができ、吸収させることができる。これにより、気温低下など外界の環境変化が生じた際、当該変化が眼に及ぼす影響が軽減され、眼に優しい環境が確保される。
【００３２】
次に、遠赤外線放射物質について説明する。
上記実施例の眼鏡フレームＦで用いている遠赤外線放射物質は、カリ長石を含む岩石の石片であるが、遠赤外線放射物質としては、種々の物質がある。本発明に係る眼鏡フレームで用いる遠赤外線放射物質としては、ケイ酸塩鉱物や炭酸塩鉱物が好ましい。このような鉱物を、例えば鉱物（石片）のまま、あるいは粉末など粒状にして用いる。
【００３３】
ところで、遠赤外線に関する知見を得るうちに、４μｍ〜１４μｍの波長の遠赤外線を育成光線と呼ぶことがあり、このような光線の中でも１０μｍ程度の波長の遠赤外線が特に人体に吸収されやすいとの知見を得た。
このような知見の下、ケイ酸塩鉱物の一種であり、しかもアルカリ長石の一種であるカリ長石について遠赤外線に関する性質を分析したところ、カリ長石のうち、単斜晶系の結晶（又は鉱物）は３μｍ前後の波長の遠赤外線を効率よく出す性質を有しており、三斜晶系の鉱物は１６μｍ前後の波長の遠赤線を効率よく出す性質を有していることを見出した。
さらに、単斜晶系の鉱物と三斜晶系の鉱物とが混在するカリ長石（以下、混在カリ長石と称することがある）は、効率よく出る遠赤外線の波長のピークがブロード化し、３μｍから１６μｍの間に位置する幅広い範囲の波長の遠赤外線を比較的効率よく出す性質を有していることを見出した（図４参照）。なお、ここで言う混在カリ長石とは、例えば、単斜晶系から三斜晶系に漸移途中のカリ長石（ホルンフェルス化など熱変成したカリ長石）のことである。
このようなことから、単斜晶系の鉱物と三斜晶系の鉱物とが混在するカリ長石は、人体によって最も吸収されやすい波長の遠赤外線を効率よく出す性質を有することを見出した。
【００３４】
そこで、このような性質と物質との関係を特定するための検討を行い、当該検討から、図４（Ａ）、（Ｂ）のグラフG1,G2,G3に示されるような分析結果を得た。各グラフは、対象鉱物の結晶構造をＸ線回折装置（ＸＲＤ）で分析した結果を示すものであり、グラフ横軸は２θ（Ｘ線照射角度）、グラフ縦軸はｃｐｓ強度（count par second intensity）である。なお、上記分析では、対象鉱物（カリ長石）を含む岩石の破片をブロロホルム液に浸漬させて鉱物比重差を利用して抽出したカリ長石の粉末を試料として用いた。また、ＸＲＤ分析は、一方からサンプル（カリ長石粉体）にＸ線を照射し、反射したＸ線を検出器で計測して鉱物特有の反射角を求めた。
図４（Ａ）のグラフG1は、単斜晶系のカリ長石鉱物の分析結果を示すものであり、グラフG2は、三斜晶系のカリ長石鉱物の分析結果を示すものである。そして、図４（Ｂ）のグラフG3は、単斜晶系鉱物及び三斜晶系鉱物が混在するカリ長石鉱物の分析結果を示すものである。
分析の結果、単斜晶系のカリ長石は２θ＝２９°付近にシャープなピークを有し（図４（Ａ）のグラフG1参照）、三斜晶系のカリ長石は２θ＝３１°付近にシャープなピークを有し（図４（Ａ）のグラフG2参照）、単斜晶系の鉱物と三斜晶系の鉱物とが混在する混在カリ長石は２θ＝３０°付近にブロードしたピークを有しており（図４（Ｂ）のグラフG3参照）、それぞれ結晶構造が異なっていることが解った。そして、この分析結果から、混在カリ長石は、単斜晶系のカリ長石や三斜晶系のカリ長石とは結晶構造が異なっているため、３μｍ〜１６μｍの間の幅広い波長の遠赤外線を効率よく出すことができると考えられることを見出した。
【００３５】
本実施例の眼鏡フレームＦで用いる遠赤外線放射物質としては、上述したようにケイ酸塩鉱物や炭酸塩鉱物が好ましが、上記知見を考慮すれば、ケイ酸塩鉱物の一種であるアルカリ長石がより好ましく、アルカリ長石の一種であるカリ長石や当該カリ長石を含む鉱石がさらに好ましい。そして、カリ長石のうちでも単斜晶系の鉱物と三斜晶系の鉱物（いわゆる見かけの三斜晶系の鉱物を含む）とが混在しているカリ長石がさらに好ましいということができる。このようなカリ長石を含む岩石としては、例えば、花崗片麻岩や眼球花崗岩などを挙げることができる。
【００３６】
また、ここでいう炭酸塩鉱物には、例えば、菱苦土石（magnesite、マグネサイト）、菱鉄鉱（siderite）、菱マンガン鉱（rhodochrosite）、菱亜鉛鉱（smithsonite）、菱コバルト鉱(sphaerocobaltite)、菱ニッケル鉱（gaspeite）及び菱カドミウム鉱(otavite)などの方解石（calcite）、ストロンチアン石（strontianite）、毒重土石（witherite）、白鉛鉱（cerussite）及び真珠層物質（nacre又はmother of pearl）などの霰（アラレ）石（aragonite、アラゴナイト）、アンケル石（ankerite、鉄苦灰石）、クトナホラ石(kutnohorite)、ミンレコーダイト(minrecordite)及びノーセス石(norsethite)などの苦灰石（dolomite、ドロマイト）、さらには、藍銅鉱（azurite）、孔雀石（malachite）、水亜鉛銅鉱（aurichalcite）、炭酸青針銅鉱（carbonate-cyanotrichite）、アルチニ石（artinite）、水苦土石（hydromagnesite）、木村石(kimuraite)、ヴァテライト（verterite）、モノハイドロカルサイト（monohydrocalcite）、イカイト（ikaite）などが含まれる。
【図１】
2012042838.tif 000003
【図２】
2012042838.tif 000004
【図３】
2012042838.tif 000005
【図４】
2012042838.tif 000006